(57)【要約】【課題】  ケージに装着する姿勢を変えなくとも容易にロック解除できるロック機構付きパッケージを提供する。【解決手段】  ケージ２内に挿抜自在に挿入されると共にケージ２に締結解除可能にロックされるパッケージ本体３と、パッケージ本体３に設けられパッケージ本体３とケージ２のロックを締結解除するロック締結解除操作機構４とを備えたロック機構付きパッケージ１において、ロック締結解除操作機構４の操作レバー１４が、パッケージ本体３に係脱可能に枢支される複数の被枢支部１５、１６を有し、これら被枢支部１５、１６のうち任意に選択したいずれか１つをパッケージ本体３に枢支させて操作レバー１４が回動するように構成されたものである。【選択図】  図１１
2005123558.tif 000002
【特許請求の範囲】
【請求項１】
ケージ内に挿抜自在に挿入されると共に該ケージに締結解除可能にロックされるパッケージ本体と、該パッケージ本体に設けられ上記パッケージ本体とケージのロックを締結解除するロック締結解除操作機構とを備えたロック機構付きパッケージにおいて、上記ロック締結解除操作機構の操作レバーが、上記パッケージ本体に係脱可能に枢支される複数の被枢支部を有し、これら被枢支部のうち任意に選択したいずれか１つを上記パッケージ本体に枢支させて上記操作レバーが回動するように構成されたことを特徴とするロック機構付きパッケージ。
【請求項２】
上記被枢支部は、上記操作レバーの回動中心を形成する軸部からなり、上記パッケージ本体には上記軸部を該軸部の径方向に離脱可能に保持する保持溝が設けられた請求項１記載のロック機構付きパッケージ。
【請求項３】
上記保持溝は、互いに逆向きに屈曲する円弧状またはかぎ形に形成された請求項２記載のロック機構付きパッケージ。
【請求項４】
上記パッケージ本体に、上記保持溝内の軸部に指を掛けるための切欠部を形成した請求項２または３記載のロック機構付きパッケージ。
【請求項５】
上記被枢支部は、上記パッケージ本体に設けられた軸部を径方向に離脱可能に囲む溝部からなる請求項１記載のロック機構付きパッケージ。
【請求項６】
上記溝部は、互いに逆向きに屈曲する円弧状またはかぎ形に形成された請求項５記載のロック機構付きパッケージ。
【請求項７】
上記操作レバーは、上記軸部を中心として回動するときに上記パッケージ本体に係合される掛け爪を有し、上記パッケージ本体は上記操作レバーの回動中心を保持するように上記掛け爪をガイドする掛け溝を有する請求項２〜６いずれかに記載のロック機構付きパッケージ。
【請求項８】
上記操作レバーを上記パッケージ本体の抜き取り方向へ傾倒可能に枢支し、上記パッケージ本体に、上記ケージに締結解除可能にロックされる係合レバーを回動自在に設け、上記操作レバーを傾倒させたときに上記係合レバーを上記ケージから離脱させるように回動させる干渉部材を上記操作レバーに設けた請求項１〜７いずれかに記載のロック機構付きパッケージ。
【請求項９】
上記干渉部材は、上記操作レバーの被枢支部間に回動自在に連結されると共に、上記係合レバーにスライド可能に係合された請求項８記載のロック機構付パッケージ。
【請求項１０】
ケージ内に挿抜自在に挿入されるケーシングと、該ケーシングに回動自在に枢支され、自由端側をケーシングから出没させて上記ケージに締結解除可能にロックされる係合レバーとを備えたロック機構付きパッケージにおいて、上記ケーシングに回動自在に設けられた操作レバーと、該操作レバーに回動自在に連結されると共に上記ケーシングにスライド自在に係合され、上記操作レバーが回動したときにこれに連動して上記係合レバーを回動させるための干渉部材とを備えたことを特徴とするロック機構付きパッケージ。
【請求項１１】
上記係合レバーは、自重でケーシングの下方へ突出されるように上下回動自在に枢支され、上記干渉部材は、上記係合レバーの下面にスライド自在に係合された請求項１０記載のロック機構付きパッケージ。
【発明の詳細な説明】
【技術分野】
【０００１】
本発明は、光送受信モジュールなどの光通信用パッケージに係り、ケージに対して交換可能に取り付けられるロック機構付きパッケージに関するものである。
【背景技術】
【０００２】
光通信用パッケージは、光ファイバと通信機器との間に介設され光ファイバから受信した光信号を電気信号に変換して通信機器側に伝えたり、通信機器からの電気信号を光信号に変換して光ファイバ側に伝えたりするものである。このパッケージは、内部の光学素子や電気素子に不具合が生じたときや、通信仕様（光波長や変調方式や通信速度など）を相手と整合させたいときなどに対応するため、光ファイバと通信機器とに対して着脱自在となっている。
【０００３】
図１８に示すパッケージ４０は、特許文献１に記載されたものである。このパッケージ４０は、光ファイバコネクタ（図示せず）を挿抜するためのソケット口（図示せず）を有しケージ４１内に挿抜自在に挿入されるパッケージ本体４２と、パッケージ本体４２に揺動自在に設けられた梃子部材４３と、梃子部材４３の一端に設けられケージ４１側に出没するロック部４４と、パッケージ本体４２に回動自在に設けられ梃子部材４３を揺動させるための操作レバー４５とを備えて構成されている。
【０００４】
操作レバー４５は、回動中心から径方向に延びて梃子部材４３の他端側に係合される係合部４６を有し、回動することで係合部４６で梃子部材４３の他端側を押し、ロック部４４をパッケージ本体４２側に引っ込めるように構成されている。
【０００５】
なお、ケージ４１の形状（寸法やロック部４４を係合させるラッチの位置）は、各メーカ共通の規格により規定されている。
【０００６】
【特許文献１】米国特許第６４３９９１８Ｂ１号明細書（第１図、第３Ｂ図、第４図）
【発明の開示】
【発明が解決しようとする課題】
【０００７】
ところで、パッケージ４０は、光ファイバを集中配線できるように通信機器（図示せず）に上下多段に近接して配置されるものであるが、操作レバー４５は、所定の位置にある取っ手４７を引くことでロックを解除するようになっているため、配置位置等により取っ手４７を引きづらくロック解除が難しい場合があった。そして、ロック解除の操作性を向上させるためにパッケージ４０を上下逆さに装着する「背中合わせ」配線も提案されているが、光ファイバコネクタも逆さに配線しなくてはならず、配線作業がやりにくくなってしまう問題があった。
【０００８】
また、操作レバー４５は、係合部４６で梃子部材４３をこじって回動させるため、梃子部材４３や操作レバー４５に大きな力がかかり易く、壊れやすいという課題があった。そしてさらに、梃子部材４３に回動半径の小さな係合部材４６を押し付けて梃子部材４３を微小回動させることから、梃子部材４３や操作レバー４５等の部品に精度が求められるという課題があった。
【０００９】
そこで、本発明の目的は、上記課題を解決し、ケージに装着する姿勢を変えなくとも容易にロック解除でき、壊れにくく、かつ、ロック解除に関わる部品の寸法精度を緩めることができるロック機構付きパッケージを提供することにある。
【課題を解決するための手段】
【００１０】
上記目的を達成するために本発明は、ケージ内に挿抜自在に挿入されると共に該ケージに締結解除可能にロックされるパッケージ本体と、該パッケージ本体に設けられ上記パッケージ本体とケージのロックを締結解除するロック締結解除操作機構とを備えたロック機構付きパッケージにおいて、上記ロック締結解除操作機構の操作レバーが、上記パッケージ本体に係脱可能に枢支される複数の被枢支部を有し、これら被枢支部のうち任意に選択したいずれか１つを上記パッケージ本体に枢支させて上記操作レバーが回動するように構成されたものである。
【００１１】
上記被枢支部は、上記操作レバーの回動中心を形成する軸部からなり、上記パッケージ本体には上記軸部を該軸部の径方向に離脱可能に保持する保持溝が設けられるとよい。
【００１２】
また、上記保持溝は、互いに逆向きに屈曲する円弧状またはかぎ形に形成されるとよい。
【００１３】
そして、上記パッケージ本体に、上記保持溝内の軸部に指を掛けるための切欠部を形成するとよい。
【００１４】
また、上記被枢支部は、上記パッケージ本体に設けられた軸部を径方向に離脱可能に囲む溝部からなるものとしてもよい。
【００１５】
そして、上記溝部は互いに逆向きに屈曲する円弧状またはかぎ形に形成されるとよい。
【００１６】
上記操作レバーは、上記軸部を中心として回動するときに上記パッケージ本体に係合される掛け爪を有し、上記パッケージ本体は上記操作レバーの回動中心を保持するように上記掛け爪をガイドする掛け溝を有するとよい。
【００１７】
また、上記操作レバーを上記パッケージ本体の抜き取り方向へ傾倒可能に枢支し、上記パッケージ本体に、上記ケージに締結解除可能にロックされる係合レバーを回動自在に設け、上記操作レバーを傾倒させたときに上記係合レバーを上記ケージから離脱させるように回動させる干渉部材を上記操作レバーに設けるとよい。
【００１８】
そして、上記干渉部材は、上記操作レバーの被枢支部間に回動自在に連結されると共に、上記係合レバーにスライド可能に係合されるとよい。
【００１９】
また、ケージ内に挿抜自在に挿入されるケーシングと、該ケーシングに回動自在に枢支され、自由端側をケーシングから出没させて上記ケージに締結解除可能にロックされる係合レバーとを備えたロック機構付きパッケージにおいて、上記ケーシングに回動自在に設けられた操作レバーと、該操作レバーに回動自在に連結されると共に上記ケーシングにスライド自在に係合され、上記操作レバーが回動したときにこれに連動して上記係合レバーを回動させるための干渉部材とを備えたものである。
【００２０】
上記係合レバーは、自重でケーシングの下方へ突出されるように上下回動自在に枢支され、上記干渉部材は、上記係合レバーの下面にスライド自在に係合されるとよい。
【発明の効果】
【００２１】
本発明によれば、ロック解除を容易にできる。
【発明を実施するための最良の形態】
【００２２】
本発明の好適実施の形態を添付図面に基づいて詳述する。
【００２３】
図１及び図３は破線で示すケージにロック機構付きパッケージを装着した状態の斜視図であり、図２及び図４はケージに装着したロック機構付きパッケージを軸線に沿って切断した状態の斜視図である。
【００２４】
図１及び図３に示すように、ロック機構付きパッケージ１は、外殻を構成するケーシング５０を有しケージ２内に挿抜自在に挿入されると共にケージ２に締結解除可能にロックされるパッケージ本体３と、パッケージ本体３に設けられパッケージ本体３とケージ２のロックを締結解除するロック締結解除操作機構４とを備えて構成されている。
【００２５】
パッケージ本体３は、挿抜方向（前後方向）に長い略直方体状に形成されており、抜き方向の端（前端）に光ファイバコネクタ（図示せず）を着脱自在に装着するためのソケット５を有する。
【００２６】
図２及び図４に示すように、パッケージ本体３の底部には、ケージ２に締結解除可能にロックされケージ２とパッケージ本体３のロックを締結解除するための係合レバー６が回動自在に設けられている。係合レバー６は、パッケージ本体３のケーシング５０に水平な軸７回り回動自在に設けられた支持レバー部８と、支持レバー部８の自由端側に設けられ支持レバー部８が上下に回動することでケーシング５０から出没され、ケージ２に形成された係合穴９内に挿抜可能に挿入されることでケージ２に締結解除可能にロックされるロック部１０とからなる。支持レバー部８は、前後に延びて配置されると共に前端をパッケージ本体３に上下回動自在に枢支されており、後述するロック部１０を自重でケーシング５０の下方へ突出させるように構成されている。また、支持レバー部８の底面１１は、後方へ向かうにつれて上がるように湾曲して形成されており、後述する干渉部材１２のスライド部２７上に乗るようになっている。ロック部１０は、支持レバー部８の後端に下方へ延びて設けられている。ロック部１０の突端には、後方へ向かうにつれて上がる傾斜面１３が形成されており、ケージ２が後方から当たったときに上方へ逃げるように構成されている。
【００２７】
図１及び図２に示すように、ロック締結解除操作機構４は、パッケージ本体３のケーシング５０に回動自在に設けられた操作レバー１４と、操作レバー１４に回動可能に設けられると共にパッケージ本体３にスライド可能に支持され、係合レバー６に干渉して係合レバー６を揺動させるための干渉部材１２とを備えて構成されている。
【００２８】
操作レバー１４は、パッケージ本体３に係脱可能に枢支される２つの被枢支部１５、１６を有し、操作レバー１４は、これら被枢支部１５、１６のうち任意に選択したいずれか１つをパッケージ本体３に枢支させて回動するように構成されている。被枢支部１５、１６は、操作レバー１４の回動中心を形成するための軸部１７、１８からなり、それぞれパッケージ本体３に形成された保持溝１９、２０内に軸部１７、１８の径方向に離脱可能に保持されるようになっている。
【００２９】
具体的には、操作レバー１４は、パッケージ本体３の前部両側にそれぞれ配置される左右一対のアーム部２１、２２を有し、軸部１７、１８は、アーム部２１、２２間を平行に接続するようにそれぞれのアーム部２１、２２に取り付けられている。そして、操作レバー１４は、いずれかの軸部１７、１８によってパッケージ本体３の抜き取り方向へ傾倒可能に枢支されるようになっている。
【００３０】
また、アーム部２１、２２は、一方の軸部１７又は１８を保持溝１９又は２０から離脱させたときにパッケージ本体３から外れないようにするための抜け止め部２３を有する。具体的には抜け止め部２３は、アーム部２１、２２の端部にパッケージ本体３の幅方向内側へ向けて延びる掛け爪２４を設けてなるものである。掛け爪２４は、軸部１７、１８を中心として回動するときに後述するパッケージ本体３の掛け溝２５に係合されるようになっている。
【００３１】
そして、パッケージ本体３の両側部には、操作レバー１４が一方の軸部１７、１８回り回動したときに円弧状に移動する掛け爪２４を受け入れる掛け溝２５が形成されている。掛け溝２５は、操作レバー１４の回動中心である軸部１７、１８を保持溝１９、２０から外さないように、軸部１７、１８の位置を保持するように掛け爪２４を受け入れてガイドするようになっている。
【００３２】
保持溝１９、２０は、それぞれパッケージ本体３の前端面に上下に離間し、かつ、幅方向に延びて形成されている。そして、保持溝１９、２０は、それぞれ保持する軸部１７、１８が他方の軸部１８、１７回り回動するときにのみ軸部１７、１８を溝内から離脱させるように互いに逆向きに屈曲する断面円弧状に形成されている。
【００３３】
また、パッケージ本体３には、保持溝１９、２０内の軸部１７、１８に指を掛けられるようにするための切欠部２６が形成されている。切欠部２６は、パッケージ本体３の上端前部と下端前部に保持溝１９、２０に連なる切欠を形成してなるものである。
【００３４】
干渉部材１２は、操作レバー１４を傾倒させたときにこれに連動して係合レバー６をケージ２から離脱させるように回動させるものであり、操作レバー１４の被枢支部１５、１６間に回動自在に連結されると共に、係合レバー６にスライド可能に係合されている。干渉部材１２は、パッケージ本体３に前後方向スライド可能に支持され係合レバー６の支持レバー部８を押し回すためのスライド部２７と、操作レバー１４に回動自在に連結されると共にスライド部２７に連結され操作レバー１４が回動したときにスライド部２７を連動させてスライドさせるための連結部２８とを備えて構成されている。
【００３５】
スライド部２７は、幅方向に延びるロッド状に形成されており、パッケージ本体３のケーシング５０の両側面に形成されたガイド穴２９を貫通して両端をケーシング５０外に突出されている。ガイド穴２９はスライド部２７のスライドを案内するためのものであり、前後に延びて形成されている。これにより、スライド部２７は、ケーシング５０に前後方向にスライド自在に係合されている。また、スライド部２７は、係合レバー６の支持レバー部８の下側に配置されており、支持レバー部８を載置するようになっている。すなわち、スライド部２７は、支持レバー部８の下面にスライド自在に係合されている。そして、スライド部２７は、前方へスライドすることで係合レバー６を上方へ回動させ、後方へスライドすることで係合レバー６の降下を許容するようになっている。
【００３６】
連結部２８は、一端を操作レバー１４のアーム部２１、２２の中間位置に回動自在に連結されており、操作レバー１４がいずれの軸部１７、１８回りに回動してもスライド部２７をスライドするように構成されている。
【００３７】
次に本実施の形態の作用を述べる。
【００３８】
図１、図２及び図１１に示すように、ケージ２に装着されたロック機構付きパッケージ１をケージ２から抜き取る場合、上下いずれかの切欠部２６から露出される軸部１７、１８に指を掛け、前方へ引く。このとき、誤って両方の軸部１７、１８を同時に前方へ引いても保持溝１９、２０が断面円弧状に形成されているため両方の軸部１７、１８が保持溝１９、２０内から出てしまうことはなく、操作レバー１４がパッケージ本体３から外れることはない。
【００３９】
そして、図５及び図１２に示すように、上側の軸部１７を前方へ引いた場合、操作レバー１４は下側の軸部１８を中心に回動を始める。操作レバー１４が回動を始めると、アーム部２１、２２の掛け爪２４が掛け溝２５内に入り、操作レバー１４はパッケージ本体３に対して軸部１８回りに回動できるのみとなる。このため、上側の軸部１７が保持溝１９から離脱されても操作レバー１４がパッケージ本体３から外れることはない。
【００４０】
操作レバー１４の回動によって、操作レバー１４に連結部２８を介して連結されたスライド部２７は、ガイド穴２９にスライド方向を規制されながら操作レバー１４に連動して前方へスライドする。これにより、スライド部２７は、支持レバー部８の下面を擦りながら上方へ押し上げ、係合レバー６を上方へ回動させる。このとき、底面１１の湾曲を十分緩やかに形成すれば、スライド部２７が移動するときの力は極めて小さくなるため、干渉部材１２や係合レバー６が受ける力は小さく、壊れにくい。また、極めて単純な機構で係合レバー６を回動させるため、部品精度等が問題となるようなことはなく、確実かつ容易に係合レバー６を回動させることができる。
【００４１】
図７、図８及び図１３に示すように、操作レバー１４が前方へほぼ完全に倒れ、係合レバー６のロック部１０がケージ２の係合穴９から上方へ抜き出されると、ロックは解除される。この状態で操作レバー１４を前方へ引くことでケージ２からロック機構付きパッケージ１を容易に抜き取ることができる。
【００４２】
また、上側の軸部１７に指を掛けにくい場合は、図９及び図１４に示すように下側の軸部１８を前方へ引いてもよい。この場合も操作レバー１４が回動することでスライド部２７が連動して前方へスライドするため、図１０及び図１５に示すように係合レバー６を上方へ回動させてロックを解除できる。このとき、上述の実施の形態と同様にアーム部２１、２２の掛け爪２４が掛け溝２５内に入って移動可能な方向を制限されるため、下側の軸部１８が保持溝２０から離脱されても操作レバー１４がパッケージ本体３から外れることはない。
【００４３】
ロック機構付きパッケージ１をケージ２に装着する場合は、操作レバー１４の姿勢を元に戻して起立させ、ケージ２内にパッケージ本体３を挿入する。係合レバー６はロック部１０の突端に形成された傾斜面１３をケージ２の前端縁に当てることで上方へ逃げ、ロック部１０が係合穴９の位置に到達することでロック部１０を係合穴９内に落下させる。これによりロック機構付きパッケージ１はケージ２にロックされる。
【００４４】
このように、操作レバー１４を、パッケージ本体３に係脱可能に枢支される２つの被枢支部１５、１６を有するものとし、これら被枢支部１５、１６のうち任意に選択したいずれか１つをパッケージ本体３に枢支させて回動させるように構成したため、レバー操作のために操作レバー１４に指を掛けるとき、指を掛ける位置を適宜選択することができ、リリース操作を容易なものにできる。
【００４５】
そして、被枢支部１５、１６を、操作レバー１４の回動中心を形成する軸部１７、１８とし、軸部１７、１８を径方向に離脱可能に保持する保持溝１９、２０をパッケージ本体３に形成するものとしたため、操作レバー１４と操作レバー１４の支持構造を簡単にできる。
【００４６】
そしてさらに、保持溝１９、２０を互いに逆向きに屈曲する断面円弧状に形成したため、操作レバー１４がいずれか一方の軸部１８、１７を中心として回動するときにのみ他方の軸部１７、１８を保持溝１９、２０から離脱させることができ、軸部１７、１８がパッケージ本体３から同時に離れるのを防ぐことができる。
【００４７】
また、軸部１７、１８を取っ手と兼用するものとしたため、操作レバー１４を簡易な構造にできる。
【００４８】
そして、パッケージ本体３に、保持溝１９、２０内の軸部１７、１８に指を掛けるための切欠部２６を形成したため、軸部１７、１８に指を容易に掛けることができ、リリース操作を容易なものにできる。
【００４９】
また、操作レバー１４は、軸部１７、１８を中心として回動するときにパッケージ本体３に係合される掛け爪２４を有し、パッケージ本体３は操作レバー１４の回動中心を保持するように掛け爪２４をガイドする掛け溝２５を有するものとしたため、操作レバー１４回動時に軸部１７、１８が保持溝１９、２０から脱落するのを簡易な構造で確実に防ぐことができ、操作レバー１４を良好に枢支できる。
【００５０】
そして、操作レバー１４をパッケージ本体３の抜き取り方向へ傾倒可能に枢支し、パッケージ本体３に、ケージ２に締結解除可能にロックされる係合レバー６を回動自在に設け、操作レバー１４を傾倒させたときに係合レバー６をケージ２から離脱させるように回動させる干渉部材１２を操作レバー１４に設けたため、操作レバー１４を倒すことで係合レバー６のロック部１０をケージ２の係合穴９から抜き出すことができ、この状態で操作レバー１４を前方へ引くことでケージ２からパッケージ本体３を容易に抜き取ることができる。
【００５１】
また、干渉部材１２は、操作レバー１４の被枢支部１５、１６間に回動自在に連結されると共に、係合レバー６にスライド可能に係合されるものとしたため、操作時に操作レバー１４、干渉部材１２及び係合レバー６に無理な力がかかるのを防ぐことでき、ロック機構付きパッケージ１のロック締結解除操作機構４を壊れにくいものにできる。そして、干渉部材１２と係合レバー６の寸法精度を緩めることができる。
【００５２】
また、ケーシング５０に回動自在に設けられた操作レバー１４と、操作レバー１４に回動自在に連結されると共にケーシング５０にスライド自在に係合され、操作レバー１４が回動したときにこれに連動して係合レバー６を回動させるための干渉部材１２とを備えてロック機構付きパッケージ１を構成したため、操作レバー１４を回転させることで干渉部材１２を係合レバー６に沿って直線的にスライド移動させることができ、係合レバー６を無理なく回動させることができる。これにより、係合レバー６や操作レバー１４が無理な力を受けて破損したり、動作が不安定になるのを防ぐことができ、ロック解除を容易になし得る。そして、干渉部材１２をスライド移動させることで、干渉部材１２のスライド経路上にある係合レバー６を干渉部材１２で押し退けながら回動させる簡単な機構を採用するため、操作レバー１４、干渉部材１２及び係合レバー６等のロック解除に関わる部品の寸法精度を緩めることができ、ロック機構付きパッケージ１を安価に製作できる。
【００５３】
また、係合レバー６は、自重でケーシング５０の下方へ突出されるように上下回動自在に枢支され、干渉部材１２は、係合レバー６の下面にスライド自在に係合されるものとしたため、係合レバー６をケーシング５０から出没させる機構を簡単なものにでき、ロック機構付きパッケージ１を安価に製作できる。
【００５４】
なお、操作レバー１４は２つの被枢支部１５、１６を有するものとしたが、被枢支部は２以上の複数であってもよい。
【００５５】
また、保持溝１９、２０は、断面円弧状に形成するものとしたが、かぎ形に形成してもよい。
【００５６】
そして、パッケージ本体３に形成した保持溝１９、２０に被枢支部１５、１６たる軸部１７、１８を径方向に離脱可能に保持するものとしたが、これに限るものではない。例えば図１６に示すようにパッケージ本体３に保持溝１９、２０に代えて幅方向に延びる軸部３５をそれぞれ形成し、操作レバー３７に、軸部３５の外周を径方向に離脱可能に囲む溝部３６を被枢支部としてそれぞれ形成してもよい。この場合、溝部３６は、それぞれ対応しない他方の軸部３５回りに回動するときに溝部３６内の軸部３５に干渉されないように屈曲した形状に形成するとよい。具体的には、溝部３６は互いに逆向きに屈曲する円弧状またはかぎ形に形成されるとよい。このとき、操作レバー３７は、軸部３５を中心として回動するときにパッケージ本体に係合される掛け爪３８を有し、パッケージ本体は操作レバー３７の回動中心を保持するように掛け爪３８をガイドする掛け溝３９を有すると良い。
【００５７】
また、係合レバー６は、自重でケーシング５０の下方へ突出されるものとしたが、図１７に示すように、ケーシング５０等の固定系と係合レバー６との間にスプリング等の弾発付勢手段５１を設け、係合レバー６を弾発的にケーシング５０外へ突出させるように構成してもよい。ロック機構付きパッケージ１をケージ２に装着するとき、係合レバー６を弾発的に係合穴９内に挿入して操作音を発することができ、作業者にロック機構付きパッケージ１がロックされた旨を知らせることができる。また、係合レバー６を弾発付勢手段５１で強制的にケーシング５０外へ突出させるため、例えば、ケージ２を上下逆さにレイアウトしてもケージ２に装着することができ、レイアウトの自由度を高めることができる。
【図面の簡単な説明】
【００５８】
【図１】本発明の好適実施の形態を示すロック機構付きパッケージの斜視図である。
【図２】図１に示すロック機構付きパッケージの斜視断面図である。
【図３】ロック機構付きパッケージの斜視図である。
【図４】図３に示すロック機構付きパッケージの斜視断面図である。
【図５】ロック解除操作を開始されたロック機構付きパッケージの斜視図である。
【図６】ロック解除操作を開始されたロック機構付きパッケージの斜視図である。
【図７】ロック解除されたロック機構付きパッケージの斜視図である。
【図８】ロック解除されたロック機構付きパッケージの斜視図である。
【図９】ロック解除操作を開始されたロック機構付きパッケージの斜視図である。
【図１０】ロック解除されたロック機構付きパッケージの斜視図である。
【図１１】図１に示すロック機構付きパッケージの側断面図である。
【図１２】図５に示すロック機構付きパッケージの側断面図である。
【図１３】図７に示すロック機構付きパッケージの側断面図である。
【図１４】図９に示すロック機構付きパッケージの側断面図である。
【図１５】図１０に示すロック機構付きパッケージの側断面図である。
【図１６】他の実施の形態を示すロック機構付きパッケージの概略説明図である。
【図１７】他の実施の形態を示すロック機構付きパッケージの側断面図である。
【図１８】従来のロック機構付きパッケージの側断面図である。
【符号の説明】
【００５９】
１  ロック機構付きパッケージ
２  ケージ
３  パッケージ本体
４  ロック締結解除操作機構
６  係合レバー
１２  干渉部材
１４  操作レバー
１５  被枢支部
１６  被枢支部
１７  軸部
１８  軸部
１９  保持溝
２０  保持溝
２４  掛け爪
２５  掛け溝
２６  切欠部
３５  軸部
３６  溝部
３８  掛け爪
３９  掛け溝
５０  ケーシング
【図１】
2005123558.tif 000003
【図２】
2005123558.tif 000004
【図３】
2005123558.tif 000005
【図４】
2005123558.tif 000006
【図５】
2005123558.tif 000007
【図６】
2005123558.tif 000008
【図７】
2005123558.tif 000009
【図８】
2005123558.tif 000010
【図９】
2005123558.tif 000011
【図１０】
2005123558.tif 000012
【図１１】
2005123558.tif 000013
【図１２】
2005123558.tif 000014
【図１３】
2005123558.tif 000015
【図１４】
2005123558.tif 000016
【図１５】
2005123558.tif 000017
【図１６】
2005123558.tif 000018
【図１７】
2005123558.tif 000019
【図１８】
2005123558.tif 000020